(57)【要約】【課題】  騒音が激しい場所や暗くて狭い場所でも効率的に機器の保守・点検を行うことができる携帯端末や情報取得装置等を提供する。【解決手段】  携帯端末２のカメラ１３で、保守または点検が必要な機器に表示されたカラーバーコード３２を読み取る。携帯端末２は、カラーバーコード３２の解析を行い機器番号を特定する。携帯端末２は、機器番号をサーバー１に送信し、サーバー１は機器番号に基づき機器データベースを検索する。サーバー１は検索された保守または点検に必要な機器情報を携帯端末２に送信し、携帯端末２は機器情報を表示モニタに表示する。【選択図】  図１
2016126553.tif 000002
【特許請求の範囲】
【請求項１】
保守または点検が必要な機器に表示されたバーコードを読み取るバーコード読取手段と、
前記バーコードが示す情報に基づいて、前記機器の保守または点検に必要な情報を取得する機器情報取得手段と、
を備えることを特徴とする携帯端末。
【請求項２】
前記バーコードは、複数の色の組み合わせにより構成されたバーコードであることを特徴とする請求項１記載の携帯端末。
【請求項３】
前記バーコード読取手段は、複数の前記バーコードを一度に読み取ることを特徴とする請求項１または請求項２記載の携帯端末。
【請求項４】
前記バーコードは、人が近づくことが難しい場所に設置された機器に表示されていることを特徴とする請求項１または請求項２記載の携帯端末。
【請求項５】
前記バーコードは、暗い場所に設置された機器に表示されていることを特徴とする請求項１または請求項２記載の携帯端末。
【請求項６】
前記バーコード読取手段は、前記バーコードの解析を許可するライセンス情報を有することを特徴とする請求項１または請求項２記載の携帯端末。
【請求項７】
前記機器の情報は、前記機器の情報を管理する機器情報管理装置において管理されているものであり、
前記機器情報取得手段は、前記機器情報管理装置に前記機器の情報を要求することにより、前記機器の情報を取得することを特徴とする請求項１記載の携帯端末。
【請求項８】
コンピュータを、
保守または点検が必要な機器に表示されたバーコードを読み取るバーコード読取手段、
前記バーコードが示す情報に基づいて前記機器の保守または点検に必要な情報を取得する機器情報取得手段、
として機能させることを特徴とする情報取得プログラム。
【請求項９】
バーコード読取手段が、保守または点検が必要な機器に表示されたバーコードを読み取るバーコード読取ステップと、
機器情報取得手段が、前記バーコードが示す情報に基づいて前記機器の保守または点検に必要な情報を取得する機器情報取得ステップと、
を実行することを特徴とする情報取得方法。
【請求項１０】
保守または点検が必要な機器に表示されたバーコードを読み取った携帯端末から、前記バーコードまたは前記バーコードが示す情報を取得するバーコード情報取得手段と、
前記バーコードが示す情報に基づいて前記機器の保守または点検に必要な情報を取得する機器情報取得手段と、
を備えることを特徴とする情報取得装置。
【発明の詳細な説明】
【技術分野】
【０００１】
本発明は、携帯端末、情報取得プログラム、情報取得方法、情報取得装置に関し、特に、騒音が激しい場所や暗くて狭い場所でも効率的に機器の保守・点検を行うことができる携帯端末や情報取得装置等に関するものである。
【背景技術】
【０００２】
これまでに電気・ガス・水道等の状況を制御・管理するための機器が多数提供されている（例えば、非特許文献１）。これら多種多様な機器は、工場、ビル、マンション、一般家屋などあらゆる施設に設置されている。そして、これら機器は故障や誤作動を防止するため、定期的に保守・点検されている。
【０００３】
これら機器を保守・点検する場合、担当者が機器が設置されている場所まで出向き、機器の状態を点検する。その際、点検担当者が、その機器の操作方法や機器の修理履歴などの情報を収集したいことがある。
その場合、点検担当者は、携帯電話を利用して機器の管理担当者に電話をかけ、機器の表面に記載されている機器番号を管理担当者に口頭で伝える。それを聞いた管理担当者はコンピュータに機器番号を入力し、操作方法等を検索し、管理担当者はそれを口頭で点検担当者に伝える。これにより点検担当者は機器の保守・点検を行う。
【先行技術文献】
【特許文献】
【０００４】
【非特許文献１】http://www.cec.co.jp/files/download/nd_ND-EW05.pdf、中央電子株式会社ホームページ  監視制御装置に関する電子パンフレット、検索日２０１４年１２月１９日
【発明の概要】
【発明が解決しようとする課題】
【０００５】
しかし、音声通話は、音声が途切れ途切れになったり、言い間違いや聞き間違いなどの問題が起こりやすいものであり、これが原因となって効率的な機器の保守・点検を行えないことがある。
また、これら機器は、騒音が激しい場所に設置されることが多いため、音声通話を頼りにすると、効率的に保守・点検を行えないことがある。すなわち、騒音により音声がかき消され、機器番号や操作方法を口頭で上手く伝えることができず、効率的に機器の保守・点検ができないのである。
【０００６】
更に、操作マニュアル等の資料を点検担当者が点検場所まで持ち歩くことも考えられ、このようにすれば音声通話を行わなくても点検担当者は操作方法等を知ることが出来る。しかし、これら機器は狭くて暗い場所に設置されることがあり、狭い場所で操作マニュアルを開くことは困難であり、また暗い場所で操作マニュアルを読むことも困難である。
更に、操作マニュアル等の紙資料は重く、点検担当者がこれを持参するのは困難である。特に、多種類の機器を保守・点検する場合、操作マニュアルの量は多くなり、これを点検担当者がすべて持ち歩くのは不可能である。
【０００７】
本発明は、このような課題を解決するためのものであり、騒音が激しい場所や暗くて狭い場所でも効率的に機器の保守・点検を行うことができる装置や方法等を提供するものである。
【課題を解決するための手段】
【０００８】
上記問題を解決するため、本発明では、保守または点検が必要な機器に表示されたバーコードを読み取るバーコード読取手段と、前記バーコードが示す情報に基づいて前記機器の保守または点検に必要な情報を取得する機器情報取得手段とを備えることを特徴とする携帯端末が提供される。
【０００９】
本発明に係る携帯端末は、保守または点検が必要な機器に表示されたバーコードを読み取る手段と、バーコードが示す情報に基づいて機器の保守または点検に必要な情報を取得する手段とを備える。
これにより、携帯端末が読み取ったバーコードの情報に基づいて保守または点検に必要な情報が取得される。
【００１０】
上記問題を解決するため、本発明では、コンピュータを、保守または点検が必要な機器に表示されたバーコードを読み取るバーコード読取手段、前記バーコードが示す情報に基づいて前記機器の保守または点検に必要な情報を取得する機器情報取得手段として機能させることを特徴とする情報取得プログラムが提供される。
【００１１】
本発明に係る情報取得プログラムは、コンピュータが、保守または点検が必要な機器に表示されたバーコードを読み取る手段、バーコードが示す情報に基づいて機器の保守または点検に必要な情報を取得する手段として機能する。
これにより、携帯端末が読み取ったバーコードの情報に基づいて保守または点検に必要な情報が取得される。
【００１２】
上記問題を解決するため、本発明では、バーコード読取手段が、保守または点検が必要な機器に表示されたバーコードを読み取るバーコード読取ステップと、機器情報取得手段が、前記バーコードが示す情報に基づいて前記機器の保守または点検に必要な情報を取得する機器情報取得ステップとを実行することを特徴とする情報取得方法が提供される。
【００１３】
本発明に係る情報取得方法は、バーコード読取手段が、保守または点検が必要な機器に表示されたバーコードを読み取るバーコード読取ステップと、機器情報取得手段が、バーコードが示す情報に基づいて前記機器の保守または点検に必要な情報を取得する機器情報取得ステップとを実行する。
これにより、携帯端末が読み取ったバーコードの情報に基づいて保守または点検に必要な情報が取得される。
【００１４】
上記問題を解決するため、本発明では、保守または点検が必要な機器に表示されたバーコードを読み取った携帯端末から、前記バーコードまたは前記バーコードが示す情報を取得するバーコード情報取得手段と、前記バーコードが示す情報に基づいて前記機器の保守または点検に必要な情報を取得する機器情報取得手段とを備えることを特徴とする情報取得装置が提供される。
【００１５】
本発明に係る情報取得装置は、保守または点検が必要な機器に表示されたバーコードを読み取った携帯端末から、バーコードまたはバーコードが示す情報を取得する手段と、バーコードが示す情報に基づいて機器の保守または点検に必要な情報を取得する手段とを備える。
これにより、携帯端末が読み取ったバーコードの情報に基づいて保守または点検に必要な情報が取得される。
【発明の効果】
【００１６】
本発明を利用すれば、携帯端末が読み取ったバーコードの情報に基づいて保守または点検に必要な情報が取得される。
よって、点検担当者は、騒音が激しいところでも機器番号を確実に伝達することができるので、確実に機器情報を入手できる。また、携帯端末は小型で軽量な端末なので、点検担当者は、狭い場所でも機器情報を参照することができ、重たい操作マニュアルを持ち歩く必要もなくなる。更に、表示モニタにはバックライトが搭載されているので、暗い場所でも機器情報を参照できる。
【図面の簡単な説明】
【００１７】
【図１】本発明のハードウェアおよび機能構成の一例を表す図である。
【図２】機器の一例を表す図である。
【図３】機器データベースの一例を表す図である。
【図４】アクセス情報の表示例を表す図である。
【図５】操作方法の表示例を表す図である。
【図６】本発明を実施するためのフローチャートである。
【図７】ＳＴＥＰ１の詳細な処理を表すフローチャートである。
【図８】ＳＴＥＰ３の詳細な処理を表すフローチャートである。
【発明を実施するための形態】
【実施形態】
【００１８】
本発明の実施形態を図に基づいて説明する。
図１は、本発明の一実施形態のハードウェアおよび機能構成を示した図である。
本発明は、サーバー１と、携帯端末２とからなり、サーバー１と携帯端末２とはインターネットなどの通信手段を介して情報の送受信ができるよう接続されている。
【００１９】
サーバー１は、情報の入出力を行う入出力部、情報の処理を行う処理部、情報の記憶を行う記憶部２２等を備えたコンピュータである。また、サーバー１は、その機能構成として、機器情報検索部２１を備える。
機器情報検査部２１は、バーコード解析部１１から、複数の色の組み合わせにより構成されたカラーバーコード３２の内容（カラーバーコード３２が示す機器番号）を取得し、これに基づき記憶部２２の情報を検索し、その結果得られた機器情報を機器情報取得部１２に送信する。
【００２０】
携帯端末２は、情報の入出力を行う入出力部、情報の処理を行う処理部、情報の記憶を行う記憶部、カメラ１３、情報を表示するためのモニタ１４等を備えたコンピュータである。また、携帯端末２は、その機能構成として、バーコード解析部１１と機器情報取得部１２とを備える。
バーコード解析部１１は、カメラ１３から、カメラ１３が読み取ったカラーバーコードの画像を取得し、その画像からカラーバーコードが示す機器番号を解析する。そして、解析した機器番号を機器情報検索部２１に送信する。
機器情報取得部１２は、機器情報検索部２１から機器情報を取得し、これをモニタ１４に表示する。
【００２１】
サーバー１と携帯端末２には、本発明を実現するためのコンピュータプログラムや所定のデータが記憶されており、各処理部はこのコンピュータプログラムの処理命令に従って所定の処理を行う。
【００２２】
図２は、本実施形態において使用される機器３１を示した概要図である。
この機器３１は、電気・ガス・水道等の制御・監視等を行う装置であり、例えば電気の分電盤などである（但し、これに限るものではない）。
この機器３１は、屋内・屋外を問わず様々な場所に設置されるのであり、暗い場所、人が通ることが難しい狭い場所、人が近づくことが難しい場所、騒音が激しい場所などにも設置されるものである。
【００２３】
この機器３１には、管理先となる部屋番号が表示され、さらにはカラーバーコード３２（複数の色の組み合わせにより構成されたバーコード）が表示されている。このカラーバーコード３２は、機器の番号を表すものである。なお、このカラーバーコード３２を読み込み解析すると、例えば「Ａ００１」のような機器番号が特定される。また、カラーバーコード３２は、赤・青・黄色で色分けされたものである（ただし、これに限るものではない）。
【００２４】
次に、本実施形態にて使用されるデータについて説明する。
図３は、記憶部２２に記憶されている機器データベースであり、機器番号と機器情報と各情報にアクセスするためのＵＲＬとが関連づけられているものである。機器情報には、機器の基本情報、修理履歴、操作方法、点検予定などが含まれるが、これに限るものではない。すなわち、機器情報には、機器に関する初期値のほか、校正日や部品の交換日など定期的に更新される情報やリアルタイムで更新される情報等、機器の保守や点検に必要なあらゆる情報が含まれるものである。
【００２５】
次に、携帯端末２の表示モニタに表示される内容について説明する（図４、図５）。
図４は、携帯端末２がカラーバーコード３２を読み取り、カラーバーコード３２が示す情報に基づいて図３の機器データベースを検索した結果を表示したものである。点検担当者が操作方法を知りたい場合は、操作方法のＵＲＬを選択すると（タップすると）図５のような内容が携帯端末２の表示モニタに表示される。
【００２６】
次に、本実施例の処理手順について説明する。
図６は本実施形態の処理手順を示すフローチャートである。このフローチャートは、バーコード情報取得処理（ＳＴＥＰ１）、機器情報検索処理（ＳＴＥＰ２）、機器情報表示処理（ＳＴＥＰ３）とからなる。
【００２７】
ＳＴＥＰ１は、バーコード情報取得処理であり、その詳細は図７の通りである。
ＳＴＥＰ１−１は、バーコード撮影処理である。点検担当者は、携帯端末２を持参し、携帯端末２のカメラ１３を使用して機器３１に表示されているカラーバーコード３２を撮影する。なお、カメラ１３により、カラーバーコード３２を１つだけ撮影する場合もあれば、複数のカラーバーコード３２を一度に撮影する場合もある。また、カラーバーコード３２は、二次元バーコードなどの他のバーコードと異なり、遠くからでも認識できるので、人が近づくことが難しい場所に機器３１が設置されていても撮影（解析）が可能である。
ＳＴＥＰ１−２は、撮影が成功したか否かを確認する処理である。撮影が成功していればＳＴＥＰ１−３に進み、不成功の場合はＳＴＥＰＳ１−１に戻る。
【００２８】
ＳＴＥＰ１−３は、バーコード解析処理である。携帯端末２には、カラーバーコード３２を解析するためのアプリケーションソフトがインストールされており、このアプリケーションソフトにより撮影したカラーバーコード３２の内容を解析する。これにより、例えば「Ａ００１」などの機器番号が解析される。なお、このアプリケーションソフトは、カラーバーコード３２の解析を許可する者から、カラーバーコード３２の解析を許可された上でインストールされているものとする。また、カラーバーコード３２を一度に複数撮影した場合は、撮影した全てのカラーバーコード３２の内容を解析するものである。
ＳＴＥＰ１−４は、解析情報送信処理である。携帯端末２は、解析した情報をサーバー１に対して送信する。
【００２９】
ＳＴＥＰ２は、機器情報検索処理である（図６）。
サーバー１は、携帯端末２から送信された情報を受信し、それに基づき機器データベースを検索する。そして、検索された結果（図３や図４）を携帯端末２に送信する。
【００３０】
ＳＴＥＰ３は、機器情報表示処理であり、その詳細は図８の通りである。
ＳＴＥＰ３−１は、機器情報一覧表示処理である。携帯端末２はサーバー１から受信した情報（例えば、図４のような情報）を表示モニタに表示する。
ＳＴＥＰ３−２は、機器情報選択処理である。点検担当者は、機器情報のうち、所望の情報を選択する。例えば、操作方法を知りたい場合は、図４の操作方法のＵＲＬを選択（タップ）する。
ＳＴＥＰ３−３は、選択情報表示処理である。携帯端末２は、選択されたＵＲＬに基づき、機器の操作方法を図５のように携帯端末２の表示モニタに表示する。
このようにすることにより、点検担当者は機器の操作方法を知ることが出来る。すなわち、点検担当者は、携帯端末２を利用することにより、機器の保守・点検に必要な情報をリアルタイムで知ることが出来るのである。
【００３１】
本実施形態では、特定の例に基づいて本発明の内容を説明したが、本発明はこれに限るものではない。
【００３２】
この実施形態は本発明の範囲を限定するものではない。本実施形態で説明した各処理はどの装置で行ってもよい。例えば、１つの装置で行う処理を、複数の装置で行ってもよい。
また、本実施形態で説明したシステム構成（ハードウェア構成）は一例であり、用途や目的に応じて様々な構成があることは言うまでもない。
更に、本実施形態で説明したデータ構成は一例であり、用途や目的に応じて様々なデータ構成があることは言うまでもない。
【００３３】
なお、上記の処理機能は、コンピュータによって実現することができる。その場合、本発明に係る装置が有すべき機能の処理内容を記述した本発明に係るプログラムが提供される。そのプログラムをコンピュータで実行することにより、上記処理機能がコンピュータ上で実現される。処理内容を記述した本発明に係るプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ＨＤＤ、ＦＤ、磁気テープなどがある。光ディスクには、ＤＶＤ（Ｄｉｇｉｔａｌ  Ｖｅｒｓａｔｉｌｅ  Ｄｉｓｃ）、ＤＶＤ−ＲＡＭ、ＣＤ−ＲＯＭ、ＣＤ−Ｒ（Ｒｅｃｏｒｄａｂｌｅ）／ＲＷ（ＲｅＷｒｉｔａｂｌｅ）などがある。光磁気記録装置には、  ＭＯ（Ｍａｇｎｅｔｏ  Ｏｐｔｉｃａｌ  ｄｉｓｋ）などがある。
【００３４】
本発明に係るプログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００３５】
本発明に係るプログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置から本発明に係るプログラムを読み取り、そのプログラムに従った処理を実行する。
なお、コンピュータは、可搬型記録媒体からそのプログラムを読み取り、プログラムに従った処理を実行することもできる。また、コンピュータは、サーバコンピュータからプログラムが転送される毎に、逐次、受け取ったプログラムに従った処理を実行することもできる。
【００３６】
なお、本発明は、上述の実施の形態にのみ限定されるものではなく、本発明の要旨を逸脱しない範囲内において種々の変更を加えることができる。
【００３７】
上記については単に本発明の原理を示すものである。さらに、多数の変形、変更が当業者にとって可能であり、本発明は上記に示し、説明した正確な構成および  応用例に限定されるものではなく、対応するすべての変形例および均等物は、添付の請求項およびその均等物による本発明の範囲とみなされる。
【符号の説明】
【００３８】
１    サーバー
２    携帯端末
１１  バーコード解析部
１２  機器情報取得部
１３  カメラ
１４  表示モニタ
２１  機器情報検索部
２２  記憶部
３１  機器（分電盤）
３２  カラーバーコード
【図１】
2016126553.tif 000003
【図２】
2016126553.tif 000004
【図３】
2016126553.tif 000005
【図４】
2016126553.tif 000006
【図５】
2016126553.tif 000007
【図６】
2016126553.tif 000008
【図７】
2016126553.tif 000009
【図８】
2016126553.tif 000010